(57)【要約】【課題】ペーパーシュレッダーの屑収容箱の空間利用率が高いペーパーシュレッダーを提供する。【解決手段】ペーパーシュレッダー裁断屑排出口のスイーパ構造は、ペーパーシュレッダーのケーシング１の裁断屑排出口２の上方には、屑押出しモータ４が配設され、モータ４の出力軸４１は、水平に配設されたクランクスライドブロック機構５を介し、裁断屑排出口２の下方に間隔をおいて立設された少なくとも２枚の紙押出し板６を、屑収集箱３内で水平方向で往復運動させる。クランクスライドブロック機構５は位置合わせクランクスライドブロック機構５である。クランクスライドブロック機構５は、クランク５１、連動ロッド５２、摺動枠５３、ガイドレール５４及びローラ５５により構成される。【選択図】図１
0003193695.tif 000002
【実用新案登録請求の範囲】
【請求項１】
ペーパーシュレッダーのケーシングの裁断屑排出口の上方には、屑押出しモータが配設され、モータの出力軸は、水平に配設されたクランクスライドブロック機構を介し、裁断屑排出口の下方に間隔をおいて立設された少なくとも２枚の紙押出し板を、屑収集箱内で水平方向で往復運動させることを特徴とするペーパーシュレッダー裁断屑排出口のスイーパ構造。
【請求項２】
前記クランクスライドブロック機構は位置合わせクランクスライドブロック機構であることを特徴とする請求項１に記載のペーパーシュレッダー裁断屑排出口のスイーパ構造。
【請求項３】
前記クランクスライドブロック機構は、クランク、連動ロッド、摺動枠、ガイドレール及びローラにより構成され、
上記クランクは棒状であり、一端がモータ出力軸に固着され、他端が連動ロッドの一端にジョイントされ、上記連動ロッドの他端がその下方の摺動枠の横梁上にジョイントされ、上記摺動枠は、その両側枠上に取り付けられたローラを介し、屑収集箱内に対向するように設けられた両側壁上のガイドレール上に架設され、上記ガイドレールの案内溝内で上記ローラが摺動すると、紙押出し板が傾いて下を向き、その上端側が摺動枠に固着されることを特徴とする請求項１に記載のペーパーシュレッダー裁断屑排出口のスイーパ構造。
【請求項４】
前記紙押出し板は垂直面に対して所定角度で傾いていることを特徴とする請求項１に記載のペーパーシュレッダー裁断屑排出口のスイーパ構造。
【考案の詳細な説明】
【技術分野】
【０００１】
本考案は、ペーパーシュレッダーに関し、特に、ペーパーシュレッダーの屑収容箱の空間利用率が高いペーパーシュレッダーに関する。
【背景技術】
【０００２】
従来のペーパーシュレッダーでは、紙が裁断されると、ケーシング上部に設けられた裁断屑排出口から排出された紙屑が屑収容箱内に落下して収容される。従来技術のペーパーシュレッダーの多くは、屑収容箱中に落下して形成される紙屑の山が次第に高くなって、屑収容箱中の紙屑により屑排出口近くに堆積してしまうため、屑収容箱の空間利用率は低く、ペーパーシュレッダーの作業を正常に行うことができなくなることがあった。この場合、屑収容箱中の紙屑が堆積されない空間が多くなり、ペーパーシュレッダーを正常な状態で使用するには、ペーパーシュレッダーの屑収容箱中にある紙屑を廃棄する必要があった。そのため、従来技術のペーパーシュレッダーの屑収容箱の利用率は低かった。
【考案の概要】
【考案が解決しようとする課題】
【０００３】
本考案の目的は、スイーパ構造を備えるペーパーシュレッダーを利用して紙屑収容箱の利用率を高めることができ、そのため紙屑収容箱の紙屑が収容できる空間が大きくなる上、ペーパーシュレッダーが元々有する機能及び構造を変えずに、スイーパ構造をペーパーシュレッダーの裁断屑排出口に適宜設置し、紙屑のスイーピング機能を得て、紙屑収集箱内に紙屑が落下し、紙屑収容箱の容量空間を効率良く利用することができるペーパーシュレッダー裁断屑排出口のスイーパ構造を提供することにある。
【図面の簡単な説明】
【０００４】
【図１】本考案の一実施形態に係るペーパーシュレッダー裁断屑排出口のスイーパ構造を示す側面図である。
【図２】図１のスイーパ構造を示す正面図である。
【図２−１】図１のスイーパ構造を示す平面図である。
【図２−２】図１のスイーパ構造を示す側面図である。
【図３−１】本考案の一実施形態に係るペーパーシュレッダー裁断屑排出口のスイーパ構造の動作を示す模式図（１）である。
【図３−２】本考案の一実施形態に係るペーパーシュレッダー裁断屑排出口のスイーパ構造の動作を示す模式図（２）である。
【図３−３】本考案の一実施形態に係るペーパーシュレッダー裁断屑排出口のスイーパ構造の動作を示す模式図（３）である。
【図３−４】本考案の一実施形態に係るペーパーシュレッダー裁断屑排出口のスイーパ構造の動作を示す模式図（４）である。
【考案を実施するための形態】
【０００５】
本考案の一実施形態に係るペーパーシュレッダー裁断屑排出口のスイーパ構造は、従来技術のペーパーシュレッダーを改良したものであり、図１のペーパーシュレッダーのケーシング１内部には、裁断屑排出口２と、屑収容箱３と、屑押出しモータ４と、クランクスライドブロック機構５と、少なくとも１つの紙押出し板６と、が配設されている。
【０００６】
図１、図２、図２−１及び図２−２を参照する。図１、図２、図２−１及び図２−２に示すように、屑押出しモータ４は、ケーシング１の頂部に配設され、その出力軸４１が垂直方向で下方へ延び、クランクスライドブロック機構５に対して動力を供給する。
【０００７】
クランクスライドブロック機構５は、位置合わせクランクスライドブロック機構（又は位置ずれクランクスライドブロック機構）である。スライドブロック移動軸線がクランク５１の回転軸心を通るため占有空間が小さめである。
【０００８】
クランクスライドブロック機構５は、クランク５１、連動ロッド５２、摺動枠（即ち、前述のスライドブロック）５３、ガイドレール５４及びローラ５５から構成され、その機構は、平面四杆機構に属する。
【０００９】
クランク５１は、棒状であり、その一端がモータの出力軸４１に固着され、屑押出しモータ４により出力軸４１が回転し、クランク５１の他端が長尺状かつ平板状の連動ロッド５２の一端のヒンジに接続されている。連動ロッド５２の他端は、ガイドレール５４上の摺動枠５３中の横梁５３２の中心位置上のナットヒンジと接続されている。
【００１０】
摺動枠５３は、ステンレス板材により製作され、周枠５３１及び横梁５３２から構成され、その側部の周枠５３１上にローラ５５が等間隔で設けられ、側部の周枠５３１の対応した位置の屑収容箱３の内壁上にはガイドレール５４が固着されている。ガイドレール５４上には、案内溝５４１が形成されている。ローラ５５は、案内溝５４１内に配設され、案内溝５４１に沿って摺動枠５３全体が移動する。
【００１１】
摺動枠５３の下方には、摺動枠５３の長辺方向に沿って少なくとも２枚（図では５枚）が、摺動枠５３の両側周枠５３１上の紙押出し板６に跨いで接続されている。紙押出し板６は、上辺側が周枠５３１上に固着され、下辺側が傾いて下向きの自由端に形成され、紙押出し板６は垂直面に対して所定角度で傾いている。紙押出し板６は、傾いて設置されているため、紙屑を押し動かす作用が発生し、屑収容箱３内の空間を効率良く利用することができる。
【００１２】
以下、本考案の動作を説明する。図３−１〜図３−４を参照する。図３−１〜図３−４に示すように、屑収容箱３中の紙屑が裁断屑排出口２に近接した箇所に大量に堆積されると、屑押出しモータ４によりクランク５１が回転され、クランク５１の他端が連動ロッド５２を介し、ガイドレール５４に沿って摺動枠５３を往復移動させると、摺動枠５３上に固着された紙押出し板６が往復移動する。紙押出し板６により紙屑が屑収容箱３内の辺側又は四隅の空いた空間まで押し動かされる。本考案のスイーパ構造は、落下した紙屑を屑収容箱３中へ均一に充填させることができるため、屑収容箱３の利用率が大幅に高まり、容積が相対的に増える。
【符号の説明】
【００１３】
１  ケーシング
２  裁断屑排出口
３  屑収容箱
４  屑押出しモータ
５  クランクスライドブロック機構
６  紙押出し板
４１  出力軸
５１  クランク
５２  連動ロッド
５３  摺動枠
５４  ガイドレール
５５  ローラ
５３１  周枠
５３２  横梁
５４１  案内溝
【図１】
0003193695.tif 000003
【図２】
0003193695.tif 000004
【図２−１】
0003193695.tif 000005
【図２−２】
0003193695.tif 000006
【図３−１】
0003193695.tif 000007
【図３−２】
0003193695.tif 000008
【図３−３】
0003193695.tif 000009
【図３−４】
0003193695.tif 000010